(57)【要約】【課題】  本考案は、ドアの内外から通気孔を介して他側を直視することができない構造であって、かつ通気孔の開口部を優れたデザインの構成にすると共に、パネル板の強度を低下させることなく、その通気孔の形成が簡単に行えるようにした換気対応ドアを提供せんとするものである。【解決手段】  二本の左右縦ガマチと、上ガマチと下ガマチとで四角状枠部を構成し、その四角状枠部内にパネル板をはめ込んで形成されるドアにおいて、下ガマチ部に横方向に伸びるスリット状の換気孔を少なくとも二本以上形成し、該換気孔はドアの一側から他側を直視することができない構成でなることを特徴とする。【選択図】  図２
0003134036.tif 000002
【実用新案登録請求の範囲】
【請求項１】
二本の左右縦ガマチと、上ガマチと下ガマチとで四角状枠部を構成し、その四角状枠部内にパネル板をはめ込んで形成されるドアにおいて、下ガマチ部に横方向に伸びるスリット状の換気孔を少なくとも二本以上形成し、該換気孔はドアの一側から他側を直視することができない構成でなることを特徴とする換気対応ドア。
【請求項２】
下ガマチの厚さ寸法を、パネル板の厚さ寸法よりも大寸に形成し、下ガマチの上部に複数の下ガマチ分割材を取り付け、最上段の下ガマチ分割材の上面には中央が徐々に膨隆する凸状部を横長状に形成し、この凸状部にパネル板の下端縁を差し込むことが可能となる差し込み凹部を形成し、前記最上段の下ガマチ分割材の下面には中央が徐々に凹陥する凹状部を横長状に形成し、次段以降の下ガマチ分割材の上面及び下面にも前記凸状部及び凹状部をそれぞれ形成し、下ガマチ分割材の下方に位置する下ガマチの上面には前記凸状部が形成され、次段以降の下ガマチ分割材並びに下ガマチの上面に形成した前記凸状部が、その上方に位置する前記凹状部に、それぞれ若干の隙間を存してもぐりこむように配設されていることを特徴とする請求項1記載の換気対応ドア。
【請求項３】
下ガマチ分割材が二段に構成されていることを特徴とする請求項２記載の換気対応ドア。
【考案の詳細な説明】
【技術分野】
【０００１】
本考案は、下ガマチ部に自由換気が可能な、がらりを備えた換気対応ドアに関するものである。
【背景技術】
【０００２】
従来、家屋内に設置される木製ドアにおいては、そのドアの一部に換気孔が穿設してあり、その換気孔を通じてドアで仕切られている部屋において内外の換気を行っている。
【０００３】
【特許文献１】特開２００１−１２１５８号公報
【考案の開示】
【考案が解決しようとする課題】
【０００４】
上記特許文献１に記載された換気対応ドアは、ドアの中心部に位置するパネル板部分に空洞通気孔を確保し、この通気孔のドアの内外側の開口部をパネル板の両側縁に対称状に形成している。このため通気孔の開口部は目立たないものの、通気孔の形成は複雑になり、かつパネル板の強度が低下し、その製造コストが嵩むという問題があった。
【０００５】
本考案は、上記の問題点を解消して、ドアの内外から通気孔を介して他側を直視することができない構造であって、かつ通気孔の開口部を優れたデザインの構成にすると共に、パネル板の強度を低下させることなく、その通気孔の形成が簡単に行えるようにした換気対応ドアを提供せんとするものである。
【課題を解決するための手段】
【０００６】
上記目的を達成するために、請求項１記載の考案は、二本の左右縦ガマチと、上ガマチと下ガマチとで四角状枠部を構成し、その四角状枠部内にパネル板をはめ込んで形成されるドアにおいて、下ガマチ部に横方向に伸びるスリット状の換気孔を少なくとも二本以上形成し、該換気孔はドアの一側から他側を直視することができない構成でなることを特徴とする換気対応ドアである。
【０００７】
請求項２記載の考案は、下ガマチの厚さ寸法を、パネル板の厚さ寸法よりも大寸に形成し、下ガマチの上部に複数の下ガマチ分割材を取り付け、最上段の下ガマチ分割材の上面には中央が徐々に膨隆する凸状部を横長状に形成し、この凸状部にパネル板の下端縁を差し込むことが可能となる差し込み凹部を形成し、前記最上段の下ガマチ分割材の下面には中央が徐々に凹陥する凹状部を横長状に形成し、次段以降の下ガマチ分割材の上面及び下面にも前記凸状部及び凹状部をそれぞれ形成し、下ガマチ分割材の下方に位置する下ガマチの上面には前記凸状部が形成され、次段以降の下ガマチ分割材並びに下ガマチの上面に形成した前記凸状部が、その上方に位置する前記凹状部に、それぞれ若干の隙間を存してもぐりこむように配設されていることを特徴とする請求項1記載の換気対応ドアである。
【０００８】
請求項３記載の考案は、下ガマチ分割材が二段に構成されていることを特徴とする請求項２記載の換気対応ドアである。
【考案の効果】
【０００９】
以上述べたように、請求項１の換気対応ドアによれば、パネル板にはまったく開口部が存在しないので、ドアのデザイン上の違和感がなく、下ガマチ部に通気孔の開口部を設けるだけなので、全体の構造が簡単で組み立てが容易となり、その製造コストを低減できるという効果がある。
【００１０】
また請求項２及び３の換気対応ドアによれば、下ガマチ部の構成をさらに体裁よく構成しているので、デザイン完成度の高い換気対応ドアが得られるという効果がある。
【考案を実施するための最良の形態】
【００１１】
以下添付図面に基づいて、本考案に係る換気対応ドアの実施例を詳説する。
図１は本考案の換気対応ドアの組み立て完成斜視図、図２は前図のＡ−Ａ線断面図、図３は前図の分解斜視図である。
【００１２】
本考案の換気対応ドアは、図１に示すように左右一対の縦ガマチ１，２と、上ガマチ３と下ガマチ４とで構成される四角状枠体のなかにパネル板５をはめ込んで形成されるドア６であって、この下ガマチ４部に換気孔７を複数形成したものである。
【００１３】
この換気孔７は、下ガマチ４部に形成され、下ガマチ４の横方向に伸びるスリット状を呈する開口であり、ドア６の一側から他側(室内⇔室外)が直視できない構成であるため、ドア６の目隠し効果はまったく損なわれず、換気のみが確実に行える構造になっている。この換気孔７は、２本以上複数本形成されるが、図では２本の例を示している。
【００１４】
次にこの換気孔７の具体的構成例を説明すると、下ガマチ４の厚さ寸法を、パネル板５の厚さ寸法よりも大寸に形成し、この下ガマチ４の上部に複数の下ガマチ分割材８，９を取り付ける。
【００１５】
最上段の下ガマチ分割材８の上面には中央が徐々に膨隆する凸状部１１を横長状に形成し、この凸状部１１にパネル板５の下端縁５ａを差し込むことが可能となる差し込み凹部８ａを形成しておく。また最上段の下ガマチ分割材８の下面には中央が徐々に凹陥する凹状部１２を横長状に形成しておく。
【００１６】
次段の下ガマチ分割材９の上面及び下面にも前記凸状部１１及び凹状部１２をそれぞれ形成しておき、下ガマチ分割材８，９の下方に位置する下ガマチ４の上面には前記凸状部１１が形成され、次段の下ガマチ分割材９並びに下ガマチ４の上面に形成した前記凸状部１１が、その上方に位置する前記凹状部１２に、それぞれ若干の隙間を存してもぐりこむように配設されている。
この隙間は換気孔７を構成し、上記した換気孔７の目的、効果を発揮することとなる。
【００１７】
また図中の符号１３はドアの把手、１４は縦ガマチ１，２の内壁に穿設したはめ込み溝で、このはめ込み溝１４に、パネル板５の左右両端がはめ込まれることになる。
さらに符号１５は突出ピン(図示しない)のはめ込み穴であり、このはめ込み穴１５には、下ガマチ分割材８，９や下ガマチ４の側縁に形成した、取り付け用の突出ピン(図示しない)をはめ込むもので、組み立ての容易性と、組み立ての確実性を確保するために設けられている。
【産業上の利用可能性】
【００１８】
本考案の換気対応ドアは、ドアの供給業者の業界において、特に利用することが可能である。
【図面の簡単な説明】
【００１９】
【図１】本考案の換気対応ドアの組み立て完成斜視図である。
【図２】前図のＡ−Ａ線断面図である。
【図３】前図の分解斜視図である。
【符号の説明】
【００２０】
１、２…縦ガマチ
３…上ガマチ
４…下ガマチ
５…パネル板
５ａ…パネル板の下端縁
６…ドア
７…換気孔
８…最上段の下ガマチ分割材
８ａ…差し込み凹部
９…次段の下ガマチ分割材
１１…凸状部
１２…凹状部
１３…ドアの把手
１４…はめ込み溝
１５…はめ込み穴
【図１】
0003134036.tif 000003
【図２】
0003134036.tif 000004
【図３】
0003134036.tif 000005